(57)【要約】【課題】フリッカーの発生を未然に抑制することが可能な放電灯点灯装置、プロジェクター及び放電灯の駆動方法を提供すること。【解決手段】放電灯９０を駆動する放電灯駆動部と、放電灯９０の点灯状態と関連付けた物理量を検出する電圧検出部（状態検出部）６５と、放電灯駆動部を制御する制御部４０とを含み、制御部４０は、放電灯４０の点灯中において、点灯状態の変動を誘引する駆動条件で放電灯駆動部を所与の期間だけ制御する点灯状態変動誘引処理と、点灯状態変動誘引処理により、物理量についての基準値以上の変動を電圧検出部（状態検出部）６５が検出したか否かを判定する判定処理と、判定処理により、物理量についての基準値以上の変動を電圧検出部（状態検出部）６５が検出したものと判定した場合に、点灯状態変動誘引処理より後の駆動条件を点灯状態変動誘引処理より前とは異なる駆動条件に変更する駆動条件変更処理とを行う。【選択図】図３
2010225425.tif 000002
【特許請求の範囲】
【請求項１】
所与の駆動条件で２つの極性を交互に繰り返す交流駆動電流を放電灯に供給することにより前記放電灯を駆動する放電灯駆動部と、
前記放電灯の点灯状態と関連付けた物理量を検出する状態検出部と、
前記放電灯駆動部を制御する制御部とを含み、
前記制御部は、
前記放電灯の点灯中において、前記点灯状態の変動を誘引する駆動条件で前記放電灯駆動部を所与の期間だけ制御する点灯状態変動誘引処理と、
前記点灯状態変動誘引処理により、前記物理量についての基準値以上の変動を前記状態検出部が検出したか否かを判定する判定処理と、
前記判定処理により、前記物理量についての基準値以上の変動を前記状態検出部が検出したものと判定した場合に、前記点灯状態変動誘引処理より後の駆動条件を前記点灯状態変動誘引処理より前とは異なる駆動条件に変更する駆動条件変更処理とを行うことを特徴とする放電灯点灯装置。
【請求項２】
請求項１に記載の放電灯点灯装置において、
前記制御部は、
前記駆動条件変更処理の後において、再度の前記点灯状態変動誘引処理及び再度の前記判定処理を行い、
前記再度の前記判定処理により、前記物理量についての基準値以上の変動を前記状態検出部が検出しなかったものと判定した場合に、前記再度の前記点灯状態変動誘引処理より後の駆動条件を最初の前記点灯状態変動誘引処理より前の駆動条件に変更する駆動条件再変更処理を行うことを特徴とする放電灯点灯装置。
【請求項３】
請求項１乃至２のいずれかに記載の放電灯点灯装置において、
前記制御部は、所与の時間条件に基づいて前記点灯状態変動誘引処理及び前記判定処理を行うことを特徴とする放電灯点灯装置。
【請求項４】
請求項１乃至３のいずれかに記載の放電灯点灯装置において、
前記制御部は、前記放電灯の点灯開始期間において前記点灯状態変動誘引処理及び前記判定処理を行うことを特徴とする放電灯点灯装置。
【請求項５】
請求項１乃至４のいずれかに記載の放電灯点灯装置において、
記憶部を含み、
前記制御部は、
消灯命令を受け付けた後に前記点灯状態変動誘引処理及び前記判定処理を行い、前記記憶部に前記判定処理での判定結果に関連付けた判定情報を書き込み、
前記判定情報に基づいて、前記放電灯の点灯開始後の最初の前記駆動条件を決定することを特徴とする放電灯点灯装置。
【請求項６】
請求項１乃至５に記載の放電灯点灯装置において、
前記点灯状態の変動を誘引する駆動条件は、他の駆動条件よりも長い同一極性期間を含む前記交流駆動電流を供給する駆動条件であることを特徴とする放電灯点灯装置。
【請求項７】
請求項１乃至６に記載の放電灯点灯装置において、
前記点灯状態の変動を誘引する駆動条件は、前記同一極性期間の後半に絶対値が最小となる前記交流駆動電流を供給する駆動条件であることを特徴とする放電灯点灯装置。
【請求項８】
請求項１乃至７のいずれかに記載の放電灯点灯装置を含むことを特徴とするプロジェクター。
【請求項９】
所与の駆動条件で２つの極性を交互に繰り返す交流駆動電流を放電灯に供給することにより前記放電灯を駆動する放電灯の駆動方法であって、
前記放電灯の点灯中において、前記放電灯の点灯状態と関連付けた物理量の変動を誘引する駆動条件で所与の期間だけ前記放電灯を駆動する点灯状態変動誘引工程と、
前記点灯状態変動誘引工程において、前記物理量が基準値以上変動したか否かを判定する判定工程と、
前記判定工程において、前記物理量が基準値以上変動したものと判定した場合に、前記点灯状態変動誘引工程より後の駆動条件を前記点灯状態変動誘引工程より前とは異なる駆動条件に変更する駆動条件変更工程とを含むことを特徴とする放電灯の駆動方法。
【発明の詳細な説明】
【技術分野】
【０００１】
本発明は、放電灯点灯装置、プロジェクター及び放電灯の駆動方法に関する。
【背景技術】
【０００２】
プロジェクターの光源として、高圧水銀ランプやメタルハライドランプなどの放電灯（放電ランプ）が使用されている。これらの放電灯においては、放電による電極の消耗や、累積点灯時間の経過に伴う電極の結晶化の進行などにより、溶融性が低下することにより電極の形状が変化する。また、これらに伴い電極先端部に複数の突起が成長したり、電極本体部の不規則な消耗が進行したりすると、アーク起点の移動やアーク長の変化が生じる。特に、アーク起点の移動はアークジャンプと呼ばれ、プロジェクター等にちらつき（フリッカー）として現れるため、光源としては望ましくない。
【０００３】
このため、フリッカーが発生した後に放電灯の駆動条件を変更することにより、フリッカーの発生を抑制しようとする放電灯点灯装置が提案されている。
【先行技術文献】
【特許文献】
【０００４】
【特許文献１】特表２００２−５３２８６６号公報
【発明の概要】
【発明が解決しようとする課題】
【０００５】
しかしながら、上記特許文献１に記載の放電灯点灯装置においては、フリッカーが発生した後についてはフリッカーの発生を抑制することが可能ではあるが、フリッカーの発生を未然に抑制することはできなかった。
【０００６】
本発明は、以上のような問題点に鑑みてなされたものであり、フリッカーの発生を未然に抑制することが可能な放電灯点灯装置、プロジェクター及び放電灯の駆動方法を提供することを目的とする。
【課題を解決するための手段】
【０００７】
本発明に係る放電灯点灯装置は、所与の駆動条件で２つの極性を交互に繰り返す交流駆動電流を放電灯に供給することにより前記放電灯を駆動する放電灯駆動部と、前記放電灯の点灯状態と関連付けた物理量を検出する状態検出部と、前記放電灯駆動部を制御する制御部とを含み、前記制御部は、前記放電灯の点灯中において、前記点灯状態の変動を誘引する駆動条件で前記放電灯駆動部を所与の期間だけ制御する点灯状態変動誘引処理と、前記点灯状態変動誘引処理により、前記物理量についての基準値以上の変動を前記状態検出部が検出したか否かを判定する判定処理と、前記判定処理により、前記物理量についての基準値以上の変動を前記状態検出部が検出したものと判定した場合に、前記点灯状態変動誘引処理より後の駆動条件を前記点灯状態変動誘引処理より前とは異なる駆動条件に変更する駆動条件変更処理とを行うことを特徴とする。
【０００８】
点灯状態と関連付けた物理量としては、例えば、放電灯の駆動電圧や放電灯の照度を用いていもよい。
【０００９】
本発明によれば、点灯状態変動誘引処理を行うことにより、放電灯がフリッカーの発生しやすい状態であるか否かを判定し、判定結果に応じて放電灯の駆動条件を変更することができる。したがって、フリッカーの発生を未然に抑制することが可能な放電灯点灯装置を実現できる。
【００１０】
この放電灯点灯装置は、前記制御部は、前記駆動条件変更処理の後において、再度の前記点灯状態変動誘引処理及び再度の前記判定処理を行い、前記再度の前記判定処理により、前記物理量についての基準値以上の変動を前記状態検出部が検出しなかったものと判定した場合に、前記再度の前記点灯状態変動誘引処理より後の駆動条件を最初の前記点灯状態変動誘引処理より前の駆動条件に変更する駆動条件再変更処理を行ってもよい。
【００１１】
この放電灯点灯装置は、前記制御部は、所与の時間条件に基づいて前記点灯状態変動誘引処理及び前記判定処理を行ってもよい。
【００１２】
所与の時間条件は、放電灯の点灯開始後の経過時間や累積点灯時間に基づいた時間条件でもよい。例えば、放電灯の点灯開始後の周期的なタイミングで点灯状態変動誘引処理及び判定処理を行ったり、放電灯の累積点灯時間が所定時間に達するごとに点灯状態変動誘引処理及び判定処理を行ったりしてもよい。
【００１３】
この放電灯点灯装置は、前記制御部は、前記放電灯の点灯開始期間において前記点灯状態変動誘引処理及び前記判定処理を行ってもよい。
【００１４】
放電灯の点灯開始期間は、例えば、放電灯の点灯開始からアーク放電が安定するまでの期間である。
【００１５】
この放電灯点灯装置は、記憶部を含み、前記制御部は、消灯命令を受け付けた後に前記点灯状態変動誘引処理及び前記判定処理を行い、前記記憶部に前記判定処理での判定結果に関連付けた判定情報を書き込み、前記判定情報に基づいて、前記放電灯の点灯開始後の最初の前記駆動条件を決定してもよい。
【００１６】
この放電灯点灯装置は、前記点灯状態の変動を誘引する駆動条件は、他の駆動条件よりも長い同一極性期間を含む前記交流駆動電流を供給する駆動条件であってもよい。
【００１７】
この放電灯点灯装置は、前記点灯状態の変動を誘引する駆動条件は、前記同一極性期間の後半に絶対値が最小となる前記交流駆動電流を供給する駆動条件であってもよい。
【００１８】
本発明に係るプロジェクターは、これらのいずれかの放電灯点灯装置を含むことを特徴とする。
【００１９】
本発明に係る放電灯の駆動方法は、所与の駆動条件で２つの極性を交互に繰り返す交流駆動電流を放電灯に供給することにより前記放電灯を駆動する放電灯の駆動方法であって、前記放電灯の点灯中において、前記放電灯の点灯状態と関連付けた物理量の変動を誘引する駆動条件で所与の期間だけ前記放電灯を駆動する点灯状態変動誘引工程と、前記点灯状態変動誘引工程において、前記物理量が基準値以上変動したか否かを判定する判定工程と、前記判定工程において、前記物理量が基準値以上変動したものと判定した場合に、前記点灯状態変動誘引工程より後の駆動条件を前記点灯状態変動誘引工程より前とは異なる駆動条件に変更する駆動条件変更工程とを含むことを特徴とする。
【図面の簡単な説明】
【００２０】
【図１】本発明の一実施例としてのプロジェクターを示す説明図。
【図２】光源装置の構成を示す説明図。
【図３】第１実施形態に係る放電灯点灯装置の回路図。
【図４】本実施形態の制御部の構成について説明するための図。
【図５】図５（Ａ）乃至図５（Ｄ）は、放電灯に供給する駆動電力の極性と電極の温度との関係を示す説明図。
【図６】図６（Ａ）乃至図６（Ｃ）は、電極の先端部分の形状例を示す図。
【図７】第１実施形態に係る放電灯点灯装置における制御例を示すフローチャート。
【図８】図８（Ａ）乃至図８（Ｃ）は、交流駆動電流の波形例を示すタイミングチャート。
【図９】図９（Ａ）乃至図９（Ｄ）は、点灯状態変動誘引処理における交流駆動電流の波形例を示すタイミングチャート。
【図１０】図１０（Ａ）及び図１０（Ｂ）は、駆動電圧の変動を示すグラフ。
【図１１】本実施形態の変形例２に係る放電灯点灯装置における制御例を示すフローチャート。
【図１２】本実施形態の変形例３に係る放電灯点灯装置における消灯命令受付から点灯終了（消灯）までの制御例を示すフローチャート。
【図１３】本実施形態の変形例３に係る放電灯点灯装置における点灯命令受付から点灯開始までの制御例を示すフローチャート。
【図１４】第２実施形態に係る放電灯点灯装置の回路図の一例。
【図１５】図１５（Ａ）及び図１５（Ｂ）は、照度Ｌの変動率を示すグラフ。
【図１６】本実施の形態に係るプロジェクターの回路構成の一例を示す図。
【発明を実施するための形態】
【００２１】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００２２】
１．プロジェクターの光学系
図１は、本発明の一実施例としてのプロジェクター５００を示す説明図である。プロジェクター５００は、光源装置２００と、平行化レンズ３０５と、照明光学系３１０と、色分離光学系３２０と、３つの液晶ライトバルブ３３０Ｒ、３３０Ｇ、３３０Ｂと、クロスダイクロイックプリズム３４０と、投写光学系３５０とを有している。
【００２３】
光源装置２００は、光源ユニット２１０と、放電灯点灯装置１０と、を有している。光源ユニット２１０は、主反射鏡１１２と副反射鏡５０と放電灯９０とを有している。放電灯点灯装置１０は、放電灯９０に電力を供給して、放電灯９０を点灯させる。主反射鏡１１２は、放電灯９０から放出された光を、照射方向Ｄに向けて反射する。照射方向Ｄは、光軸ＡＸと平行である。光源ユニット２１０からの光は、平行化レンズ３０５を通過して照明光学系３１０に入射する。この平行化レンズ３０５は、光源ユニット２１０からの光を、平行化する。
【００２４】
照明光学系３１０は、光源装置２００からの光の照度を液晶ライトバルブ３３０Ｒ、３３０Ｇ、３３０Ｂにおいて均一化する。また、照明光学系３１０は、光源装置２００からの光の偏光方向を一方向に揃える。この理由は、光源装置２００からの光を液晶ライトバルブ３３０Ｒ、３３０Ｇ、３３０Ｂで有効に利用するためである。照度分布と偏光方向とが調整された光は、色分離光学系３２０に入射する。色分離光学系３２０は、入射光を、赤（Ｒ）、緑（Ｇ）、青（Ｂ）の３つの色光に分離する。３つの色光は、各色に対応付けられた液晶ライトバルブ３３０Ｒ、３３０Ｇ、３３０Ｂによって、それぞれ変調される。液晶ライトバルブ３３０Ｒ、３３０Ｇ、３３０Ｂは、液晶パネル５６０Ｒ、５６０Ｇ、５６０Ｂと、液晶パネル５６０Ｒ、５６０Ｇ、５６０Ｂのそれぞれの光入射側及び出射側に配置される偏光板を備える。変調された３つの色光は、クロスダイクロイックプリズム３４０によって合成される。合成光は、投写光学系３５０に入射する。投写光学系３５０は、入射光を、図示しないスクリーンに投写する。これにより、スクリーン上には画像が表示される。
【００２５】
なお、平行化レンズ３０５と、照明光学系３１０と、色分離光学系３２０と、クロスダイクロイックプリズム３４０と、投写光学系３５０とのそれぞれの構成としては、周知の種々の構成を採用可能である。
【００２６】
図２は、光源装置２００の構成を示す説明図である。光源装置２００は、光源ユニット２１０と放電灯点灯装置１０とを有している。図中には、光源ユニット２１０の断面図が示されている。光源ユニット２１０は、主反射鏡１１２と放電灯９０と副反射鏡５０とを有している。
【００２７】
放電灯９０の形状は、第１端部９０ｅ１から第２端部９０ｅ２まで、照射方向Ｄに沿って延びる棒形状である。放電灯９０の材料は、例えば、石英ガラス等の透光性材料である。放電灯９０の中央部は球状に膨らんでおり、その内には、放電空間９１が形成されている。放電空間９１内には、希ガス、金属ハロゲン化合物等を含む放電媒体であるガスが封入されている。
【００２８】
また、放電空間９１内には、２つの電極９２、９３が、放電灯９０から突き出している。第１電極９２は、放電空間９１の第１端部９０ｅ１側に配置され、第２電極９３は、放電空間９１の第２端部９０ｅ２側に配置されている。これらの電極９２、９３の形状は、光軸ＡＸに沿って延びる棒形状である。放電空間９１内では、各電極９２、９３の電極先端部（「放電端」とも呼ぶ）が、所定距離だけ離れて向かい合っている。なお、これらの電極９２、９３の材料は、例えば、タングステン等の金属である。
【００２９】
放電灯９０の第１端部９０ｅ１には、第１端子５３６が設けられている。第１端子５３６と第１電極９２とは、放電灯９０の内部を通る導電性部材５３４によって電気的に接続されている。同様に、放電灯９０の第２端部９０ｅ２には、第２端子５４６が設けられている。第２端子５４６と第２電極９３とは、放電灯９０の内部を通る導電性部材５４４によって電気的に接続されている。各端子５３６、５４６の材料は、例えば、タングステン等の金属である。また、各導電性部材５３４、５４４としては、例えば、モリブデン箔が利用される。
【００３０】
これらの端子５３６、５４６は、放電灯点灯装置１０に接続されている。放電灯点灯装置１０は、これらの端子５３６、５４６に、交流電流を供給する。その結果、２つの電極９２、９３の間でアーク放電が起きる。アーク放電により発生した光（放電光）は、破線の矢印で示すように、放電位置から全方向に向かって放射される。
【００３１】
放電灯９０の第１端部９０ｅ１には、固定部材１１４によって、主反射鏡１１２が固定されている。主反射鏡１１２の反射面（放電灯９０側の面）の形状は、回転楕円形状である。主反射鏡１１２は、放電光を照射方向Ｄに向かって反射する。なお、主反射鏡１１２の反射面の形状としては、回転楕円形状に限らず、放電光を照射方向Ｄに向かって反射するような種々の形状を採用可能である。例えば、回転放物線形状を採用してもよい。この場合は、主反射鏡１１２は、放電光を、光軸ＡＸにほぼ平行な光に変換することができる。したがって、平行化レンズ３０５を省略することができる。
【００３２】
放電灯９０の第２端部９０ｅ２側には、固定部材５２２によって、副反射鏡５０が固定されている。副反射鏡５０の反射面（放電灯９０側の面）の形状は、放電空間９１の第２端部９０ｅ２側を囲む球面形状である。副反射鏡５０は、放電光を、主反射鏡１１２に向かって反射する。これにより、放電空間９１から放射される光の利用効率を高めることができる。
【００３３】
なお、固定部材１１４、５２２の材料としては、放電灯９０の発熱に耐える任意の耐熱材料（例えば、無機接着剤）を採用可能である。また、主反射鏡１１２及び副反射鏡５０と放電灯９０との配置を固定する方法としては、主反射鏡１１２及び副反射鏡５０を放電灯９０に固定する方法に限らず、任意の方法を採用可能である。例えば、放電灯９０と主反射鏡１１２とを、独立に、プロジェクターの筐体（図示せず）に固定してもよい。副反射鏡５０についても同様である。
【００３４】
２．第１実施形態に係る放電灯点灯装置
（１）放電灯点灯装置の構成
図３は、第１実施形態に係る放電灯点灯装置の回路図の一例である。
【００３５】
放電灯点灯装置１０は、電力制御回路２０を含む。電力制御回路２０は、放電灯９０に供給する駆動電力を生成する。本実施形態においては、電力制御回路２０は、直流電源８０を入力とし、当該入力電圧を降圧して直流電流Ｉｄを出力するダウンチョッパー回路で構成されている。
【００３６】
電力制御回路２０は、スイッチ素子２１、ダイオード２２、コイル２３及びコンデンサー２４を含んで構成することができる。スイッチ素子２１は、例えばトランジスターで構成することができる。本実施形態においては、スイッチ素子２１の一端は直流電源８０の正電圧側に接続され、他端はダイオード２２のカソード端子及びコイル２３の一端に接続されている。また、コイル２３の他端にはコンデンサー２４の一端が接続され、コンデンサー２４の他端はダイオード２２のアノード端子及び直流電源８０の負電圧側に接続されている。スイッチ素子２１の制御端子には制御部４０から電流制御信号が入力されてスイッチ素子２１のＯＮ／ＯＦＦが制御される。電流制御信号には、例えばＰＷＭ（Pulse Width Modulation）制御信号が用いられてもよい。
【００３７】
ここで、スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００３８】
放電灯点灯装置１０は、交流変換回路３０を含む。交流変換回路３０は、電力制御回路２０から出力される直流電流Ｉｄを入力し、所与のタイミングで極性反転することにより、任意のデューティー比や周波数をもつ放電灯駆動用の交流駆動電流Ｉを生成出力する。本実施形態においては、交流変換回路３０はインバーターブリッジ回路（フルブリッジ回路）で構成されている。
【００３９】
交流変換回路３０は、例えば、トランジスターなどの第１乃至第４のスイッチ素子３１乃至３４を含んで構成され、直列接続された第１及び第２のスイッチ素子３１及び３２と、直列接続された第３及び第４のスイッチ素子３３及び３４を、互いに並列接続して構成される。第１乃至第４のスイッチ素子３１乃至３４の制御端子には、それぞれ制御部４０から交流変換制御信号が入力され、第１乃至第４のスイッチ素子３１乃至３４のＯＮ／ＯＦＦが制御される。
【００４０】
交流変換回路３０は、第１及び第４のスイッチ素子３１及び３４と、第２及び第３のスイッチ素子３２及び３３を交互にＯＮ／ＯＦＦを繰り返すことにより、電力制御回路２０から出力される直流電流Ｉｄの極性を交互に反転し、第１及び第２のスイッチ素子３１及び３２の共通接続点及び第３及び第４のスイッチ素子３３及び３４の共通接続点から、制御されたデューティー比や周波数等をもった交流駆動電流Ｉを生成出力する。
【００４１】
すなわち、第１及び第４のスイッチ素子３１及び３４がＯＮの時には第２及び第３のスイッチ素子３２及び３３をＯＦＦにし、第１及び第４のスイッチ素子３１及び３４がＯＦＦの時には第２及び第３のスイッチ素子３２及び３３をＯＮにするように制御する。したがって、第１及び第４のスイッチ素子３１及び３４がＯＮの時には、コンデンサー２４の一端から第１のスイッチ素子３１、放電灯９０、第４のスイッチ素子３４の順に流れる交流駆動電流Ｉが発生する。また、第２及び第３のスイッチ素子３２及び３３をＯＮの時には、コンデンサー２４の一端から第３のスイッチ素子３３、放電灯９０、第２のスイッチ素子３２の順に流れる交流駆動電流Ｉが発生する。
【００４２】
本実施形態において、電力制御回路２０と交流変換回路３０とを合わせて、所与の駆動条件で２つの極性を交互に繰り返す交流駆動電流Ｉを放電灯９０に供給することにより放電灯を駆動する放電灯駆動部に対応する。
【００４３】
放電灯点灯装置１０は、制御部４０を含む。制御部４０は、電力制御回路２０及び交流変換回路３０を制御することにより、交流駆動電流Ｉの電流値、デューティー比、周波数等を制御する。制御部４０は、交流変換回路３０に対して交流駆動電流Ｉの極性反転タイミングによりデューティー比、周波数等を制御する交流変換制御を行う。また、制御部４０は、電力制御回路２０に対して、出力される直流電流Ｉｄの電流値を制御する電流制御を行う。
【００４４】
また、制御部４０は、放電灯９０の点灯を指示する点灯命令や放電灯９０の消灯を指示する消灯命令を、通信信号Ｓを介して受け付けてもよい。
【００４５】
制御部４０の構成は、特に限定されるものではないが、本実施形態においては、制御部４０は、システムコントローラー４１、電力制御回路コントローラー４２及び交流変換回路コントローラー４３含んで構成されている。なお、制御部４０は、その一部又は全てを半導体集積回路で構成してもよい。
【００４６】
システムコントローラー４１は、電力制御回路コントローラー４２及び交流変換回路コントローラー４３を制御することにより、電力制御回路２０及び交流変換回路３０を制御する。システムコントローラー４１は、後述する放電灯点灯装置１０内部に設けた動作検出部６０により検出した駆動電圧Ｖｌａ及び交流駆動電流Ｉに基づき、電力制御回路コントローラー４２及び交流変換回路コントローラー４３を制御してもよい。
【００４７】
本実施形態においては、システムコントローラー４１は記憶部４４を含んで構成されている。なお、記憶部４４は、システムコントローラー４１とは独立に設けてもよい。
【００４８】
システムコントローラー４１は、記憶部４４に格納された情報に基づき、電力制御回路２０及び交流変換回路３０を制御してもよい。記憶部４４には、例えば交流駆動電流Ｉが同一極性で継続する保持時間、交流駆動電流Ｉの電流値、デューティー比、周波数、波形等の駆動パラメーターに関する情報が格納されていてもよい。
【００４９】
電力制御回路コントローラー４２は、システムコントローラー４１からの制御信号に基づき、電力制御回路２０へ電流制御信号を出力することにより、電力制御回路２０を制御する。
【００５０】
交流変換回路コントローラー４３は、システムコントローラー４１からの制御信号に基づき、交流変換回路３０へ交流変換制御信号を出力することにより、交流変換回路３０を制御する。
【００５１】
なお、制御部４０は、専用回路により実現して上述した制御や後述する処理の各種制御を行うようにすることもできるが、例えばＣＰＵ（Central Processing Unit）が記憶部４４等に記憶された制御プログラムを実行することによりコンピューターとして機能し、これらの処理の各種制御を行うようにすることもできる。すなわち、図４に示すように、制御部４０は、制御プログラムにより、電力制御回路２０を制御する電流制御手段４０−１、交流変換回路３０を制御する交流変換制御手段４０−２、点灯状態変動誘引処理を行う点灯状態変動誘引処理手段４０−３、判定処理を行う判定処理手段４０−４、駆動条件変更処理を行う駆動条件変更処理手段４０−５として機能するように構成してもよい。
【００５２】
放電灯点灯装置１０は、動作検出部６０を含んでもよい。動作検出部６０は、例えば放電灯９０の駆動電圧Ｖｌａを検出し、駆動電圧情報を出力する電圧検出部６５や、交流駆動電流Ｉを検出し、駆動電流情報を出力する電流検出部を含んでもよい。本実施形態においては、動作検出部６０は、第１乃至第３の抵抗６１乃至６３を含んで構成されている。
【００５３】
本実施形態において、電圧検出部６５は、放電灯９０と並列に、互いに直列接続された第１及び第２の抵抗６１及び６２で分圧した電圧により駆動電圧Ｖｌａを検出する。また、本実施形態において、電流検出部は、放電灯９０に直列に接続された第３の抵抗６３に発生する電圧により交流駆動電流Ｉを検出する。
【００５４】
駆動電圧Ｖｌａは、本発明における放電灯の点灯状態と関連付けた物理量に対応し、電圧検出部６５は、本発明における状態検出部に対応する。
【００５５】
放電灯点灯装置１０は、イグナイター回路７０を含んでもよい。イグナイター回路７０は、放電灯９０の点灯開始時にのみ動作し、放電灯９０の点灯開始時に放電灯９０の電極間を絶縁破壊して放電路を形成するために必要な高電圧（通常制御動作時よりも高い電圧）を放電灯９０の電極間に供給する。本実施形態においては、イグナイター回路７０は、放電灯９０と並列に接続されている。
【００５６】
図５（Ａ）乃至図５（Ｄ）は、放電灯９０に供給する駆動電力の極性と電極の温度との関係を示す説明図である。図５（Ａ）及び図５（Ｂ）は、２つの電極９２、９３の動作状態を示している。図中には、２つの電極９２、９３の先端部分が示されている。電極９２、９３の先端には突起５５２ｐ、５６２ｐがそれぞれ設けられている。放電は、これらの突起５５２ｐ、５６２ｐの間で生じる。本実施例では、突起が無い場合と比べて、各電極９２、９３における放電位置（アーク位置）の移動を抑えることができる。
【００５７】
図５（Ａ）は、第１電極９２が陽極として動作し、第２電極９３が陰極として動作する第１極性状態Ｐ１を示している。第１極性状態Ｐ１では、放電によって、第２電極９３（陰極）から第１電極９２（陽極）へ電子が移動する。陰極（第２電極９３）からは、電子が放出される。陰極（第２電極９３）から放出された電子は、陽極（第１電極９２）の先端に衝突する。この衝突によって熱が生じ、そして、陽極（第１電極９２）の先端（突起５５２ｐ）の温度が上昇する。
【００５８】
図５（Ｂ）は、第１電極９２が陰極として動作し、第２電極９３が陽極として動作する第２極性状態Ｐ２を示している。第２極性状態Ｐ２では、第１極性状態Ｐ１とは逆に、第１電極９２から第２電極９３へ電子が移動する。その結果、第２電極９３の先端（突起５６２ｐ）の温度が上昇する。
【００５９】
このように、陽極の温度は、陰極と比べて高くなりやすい。ここで、一方の電極の温度が他方の電極と比べて高い状態が続くことは、種々の不具合を引き起こし得る。例えば、高温電極の先端が過剰に溶けた場合には、意図しない電極変形が生じ得る。その結果、アーク長が適正値からずれる場合がある。また、低温電極の先端の溶融が不十分な場合には、先端に生じた微少な凹凸が溶けずに残り得る。その結果、いわゆるアークジャンプが生じる場合がある（アーク位置が安定せずに移動する）。
【００６０】
図６（Ａ）乃至図６（Ｃ）は、２つの電極９２、９３の先端部分の形状例を示す図である。
【００６１】
電極９２、９３が図６（Ａ）に示す形状の場合には、突起５５２ｐと突起５６２ｐとの間でアーク放電が行われる。したがって、アーク位置は安定するものと考えられる。
【００６２】
しかし、例えば電極９３が図６（Ｂ）に示す形状のように複数の突起５６２ｐ−１、５６２ｐ−２を有する形状に変形した場合には、突起５５２ｐと突起５６２ｐ−１との間でアーク放電が行われたり、突起５５２ｐと突起５６２ｐ−２との間でアーク放電が行われたりする。その結果、アークジャンプが生じるものと考えられる。
【００６３】
また、例えば電極９３が図６（Ｃ）に示す形状のように突起を失った形状に変形した場合には、電極９３側のアーク位置は、安定せずに移動することになる。その結果、アークジャンプが生じるものと考えられる。
【００６４】
このような不具合を抑制する技術として、各電極の極性を繰り返し交替させる交流駆動を利用可能である。図５（Ｃ）は、放電灯９０（図２）に供給される交流駆動電流Ｉ（駆動信号）を示すタイミングチャートである。横軸は時間Ｔを示し、縦軸は交流駆動電流Ｉの電流値を示している。交流駆動電流Ｉは、放電灯９０を流れる電流を示す。正値は、第１極性状態Ｐ１を示し、負値は、第２極性状態Ｐ２を示す。図５（Ｃ）の例では、矩形波交流電流が利用されている。そして、第１極性状態Ｐ１と第２極性状態Ｐ２とが交互に繰り返される。ここで、第１極性区間Ｔｐは、第１極性状態Ｐ１が続く時間を示し、第２極性区間Ｔｎは、第２極性状態Ｐ２が続く時間を示す。また、第１極性区間Ｔｐの平均電流値はＩｍ１であり、第２極性区間Ｔｎの平均電流値は−Ｉｍ２である。なお、駆動周波数は、放電灯９０の特性に合わせて、実験的に決定可能である（例えば、３０Ｈｚ〜１ｋＨｚの範囲の値が採用される）。他の値Ｉｍ１、−Ｉｍ２、Ｔｐ、Ｔｎも、同様に実験的に決定可能である。
【００６５】
図５（Ｄ）は、第１電極９２の温度変化を示すタイミングチャートである。横軸は時間Ｔを示し、縦軸は温度Ｈを示している。第１極性状態Ｐ１では、第１電極９２の温度Ｈが上昇し、第２極性状態Ｐ２では、第１電極９２の温度Ｈが降下する。また、第１極性状態Ｐ１と第２極性状態Ｐ２状態が繰り返されるので、温度Ｈは、最小値Ｈｍｉｎと最大値Ｈｍａｘとの間で周期的に変化する。なお、図示は省略するが、第２電極９３の温度は、第１電極９２の温度Ｈとは逆位相で変化する。すなわち、第１極性状態Ｐ１では、第２電極９３の温度が降下し、第２極性状態Ｐ２では、第２電極９３の温度が上昇する。
【００６６】
第１極性状態Ｐ１では、第１電極９２（突起５５２ｐ）の先端が溶融するので、第１電極９２（突起５５２ｐ）の先端が滑らかになる。これにより、第１電極９２での放電位置の移動を抑制できる。また、第２電極９３（突起５６２ｐ）の先端の温度が降下するので、第２電極９３（突起５６２ｐ）の過剰な溶融が抑制される。これにより、意図しない電極変形を抑制できる。第２極性状態Ｐ２では、第１電極９２と第２電極９３の立場が逆である。したがって、２つの状態Ｐ１、Ｐ２を繰り返すことによって、２つの電極９２、９３のそれぞれにおける不具合を抑制できる。
【００６７】
ここで、電流Ｉの波形が対称である場合、すなわち、電流Ｉの波形が「｜Ｉｍ１｜＝｜−Ｉｍ２｜、Ｔｐ＝Ｔｎ」という条件を満たす場合には、２つの電極９２、９３の間で、供給される電力の条件が同じである。したがって、２つの電極９２、９３の間の温度差が小さくなると推定される。ところが、このような対称の電流波形での駆動を維持し続けると、放電空間９１内に定常的な対流が発生し電極の軸部の局所に電極材料が堆積あるいは偏析して針状に成長し、放電空間９１を包囲する透光性材料の壁面に向けて意図しない放電が生じる可能性がある。このような意図しない放電は、当該内壁を劣化させ、放電灯９０の寿命を低下させる原因となる。また、このような対称の電流波形での駆動を維持し続けると、電極が一定の温度分布で長時間持続されるため、経時的な状態変化に伴って生じた電極の非対称性が、時間と共により助長される方向に向かう。
【００６８】
また、電極が広い範囲にわたり加熱されすぎる（アークスポット（アーク放電に伴う電極表面上のホットスポット）が大きくなる）と過剰な溶融により電極の形状が崩れる。逆に、電極が冷えすぎる（アークスポットが小さくなる）と電極の先端が十分に溶融できず、先端を滑らかに戻せない、すなわち電極の先端が変形しやすくなる。したがって、電極に対して一様なエネルギー供給状態を継続すると、電極の先端（突起５５２ｐ、５６２ｐ）が意図しない形状に変形しやすくなる。
【００６９】
（２）放電灯点灯装置の制御例
次に、本実施形態に係る放電灯点灯装置１０の制御の具体例について説明する。
【００７０】
本実施形態に係る放電灯点灯装置１０の制御部４０は、放電灯９０の点灯中において、点灯状態の変動を誘引する駆動条件で放電灯駆動部を所与の期間だけ制御する点灯状態変動誘引処理と、点灯状態変動誘引処理により、放電灯９０の点灯状態と関連付けた物理量（駆動電圧Ｖｌａ）についての基準値以上の変動を状態検出部（電圧検出部６５）が検出したか否かを判定する判定処理と、判定処理により、放電灯９０の点灯状態と関連付けた物理量（駆動電圧Ｖｌａ）についての基準値以上の変動を状態検出部（電圧検出部６５）が検出したものと判定した場合に、点灯状態変動誘引処理より後の駆動条件を点灯状態変動誘引処理より前とは異なる駆動条件に変更する駆動条件変更処理とを行う。
【００７１】
図７は、本実施形態に係る放電灯点灯装置１０における制御例を示すフローチャートである。図７に示す例では、放電灯９０の点灯開始から点灯終了（消灯）までのフローを示している。また、図８（Ａ）乃至図８（Ｃ）は、交流駆動電流Ｉの波形例を示すタイミングチャート、図９（Ａ）乃至図９（Ｄ）は、点灯状態変動誘引処理における交流駆動電流Ｉの波形例を示すタイミングチャートである。
【００７２】
まず、放電灯点灯装置１０は、放電灯９０の点灯を開始する（ステップＳ１００）。本実施形態においては、イグナイター回路７０により放電灯９０の電極間に高電圧を印加して放電路を形成した後に、放電灯駆動部により所与の駆動条件で２つの極性を交互に繰り返す交流駆動電流Ｉを放電灯９０に供給することにより放電灯９０を駆動する。以下においては、ステップＳ１００における駆動条件が、図８（Ａ）に示すように、周波数を周期的なパターンで変化させた矩形波形の交流駆動電流Ｉを供給する駆動条件（以下、「周波数変調駆動」と記載する）とする例について説明する。
【００７３】
ステップＳ１００の後に、制御部４０は、点灯状態の変動を誘引する駆動条件で放電灯駆動部を所与の期間だけ制御する点灯状態変動誘引処理を行う（ステップＳ１０２；点灯状態変動誘引工程）。所与の期間は、例えば１分程度としてもよい。
【００７４】
点灯状態の変動を誘引する駆動条件は、他の駆動条件（点灯状態変動誘引処理を行っている期間以外での駆動条件）よりも長い同一極性期間を含む交流駆動電流Ｉを供給する駆動条件であってもよい。例えば、図９（Ａ）に示すような他の駆動条件よりも低周波である固定周波数の矩形波形の交流駆動電流Ｉを供給する駆動条件であったり、図９（Ｂ）に示すようなデューティー比（交流駆動電流Ｉの１周期の長さに対する第１極性期間の長さの比）が５０％から離れて偏った（例えばデューティー比が８５％以上や１５％以下の）矩形波形の交流駆動電流Ｉを供給する駆動条件であったりしてもよい。
【００７５】
他の駆動条件よりも長い同一極性期間を含む交流駆動電流Ｉを供給する駆動条件で放電灯９０を駆動すると、陽極となる期間が長い電極の先端が過剰に溶融したり、陰極となる期間が長い電極の先端の溶融が不十分になったりする。電極の先端が過剰に溶融した場合には、意図しない電極変形が生じ得る。また、電極の先端の溶融が不十分な場合には、先端に生じた微少な凹凸が溶けずに残り得る。その結果、いわゆるアークジャンプが発生しやすくなる。
【００７６】
点灯状態の変動を誘引する駆動条件は、同一極性期間の後半に絶対値が最小となる交流駆動電流Ｉを供給する駆動条件であってもよい。例えば、図９（Ｃ）に示すような同一極性期間内で絶対値が単調減少する交流駆動電流Ｉを供給する駆動条件であったり、図９（Ｄ）に示すような正弦波形となる交流駆動電流Ｉを供給する駆動条件であったりしてもよい。
【００７７】
同一極性期間の後半に絶対値が最小となる交流駆動電流Ｉを供給する駆動条件で放電灯９０を駆動すると、同一周期の矩形波の交流駆動電流Ｉを供給した場合に比べて電極温度が上昇しにくい。電極の先端の溶融が不十分な場合には、先端に生じた微少な凹凸が溶けずに残り得る。その結果、いわゆるアークジャンプが発生しやすくなる。
【００７８】
ステップＳ１０２の後に、制御部４０は、点灯状態変動誘引処理により、物理量（駆動電圧Ｖｌａ）についての基準値以上の変動を状態検出部（電圧検出部６５）が検出したか否かを判定する判定処理を行う（ステップＳ１０４；判定工程）。
【００７９】
図１０（Ａ）及び図１０（Ｂ）は、駆動電圧Ｖｌａの変動を示すグラフである。図１０（Ａ）はアークジャンプが発生していない場合、図１０（Ｂ）はアークジャンプが発生している場合の駆動電圧Ｖｌａの変動を示している。アークジャンプが発生している場合には、アーク長も変動しているため、アークジャンプが発生していない場合に比べて駆動電圧Ｖｌａが大きく変動する。
【００８０】
本実施形態においては、制御部４０は、点灯状態変動誘引処理により、駆動電圧Ｖｌａの基準値以上の変動を電圧検出部６５が検出したか否かを判定する。基準値は、例えば±０．４Ｖ程度としてもよい。また、基準値は、放電灯９０の照度変動が視認できない範囲に設定してもよい。
【００８１】
駆動電圧Ｖｌａの基準値以上の変動を電圧検出部６５が検出したものと制御部４０が判定した場合（ステップＳ１０４でＹＥＳの場合）には、制御部４０は、点灯状態変動誘引処理より後の駆動条件を、点灯状態変動誘引処理より前とは異なる駆動条件に変更する駆動条件変更処理を行う（ステップＳ１０６；駆動条件変更工程）。
【００８２】
点灯状態変動誘引処理よりの駆動条件は、例えば、図８（Ｂ）に示すような他の駆動条件と比較して高周波である固定周波数の矩形波の交流駆動電流Ｉを供給する駆動条件（以下、「固定高周波駆動」と記載する）であったり、図８（Ｃ）に示すような同一極性期間内で絶対値が単調増加する交流駆動電流Ｉを供給する駆動条件（以下、「三角波駆動」と記載する）であったりしてもよい。
【００８３】
固定周波数の矩形波の交流駆動電流Ｉを供給する場合には、陽極となる期間に電極の先端が過剰に溶融したり、陰極となる期間に電極の先端の溶融が不十分になったりすることが少ないため、安定した駆動が期待できる。また、同一極性期間内で絶対値が単調増加する交流駆動電流Ｉを供給する場合には、同一周期の矩形波の交流駆動電流Ｉを供給した場合に比べて電極温度が上昇しやすい。したがって、先端に生じた微少な凹凸を溶融して滑らかにすることが期待できる。
【００８４】
ステップＳ１０６の後及びステップＳ１０４で駆動電圧Ｖｌａの基準値以上の変動を電圧検出部６５が検出しなかったものと制御部４０が判定した場合（ステップＳ１０４でＮＯの場合）には、制御部４０は、消灯命令を受け付けたか否かを判定する（ステップＳ１０８）。消灯命令を受け付けなかったものと判定した場合（ステップＳ１０８でＮＯの場合）には、消灯命令を受け付けるまでステップＳ１０２〜ステップＳ１０８を繰り返す。
【００８５】
なお、制御部４０は、所与の時間条件に基づいて点灯状態変動誘引処理（ステップＳ１０２）及び判定処理（ステップＳ１０４）を行ってもよい。例えば、放電灯９０の点灯開始後の周期的なタイミングで点灯状態変動誘引処理（ステップＳ１０２）及び判定処理（ステップＳ１０４）を行ったり、放電灯９０の累積点灯時間が所定時間に達するごとに点灯状態変動誘引処理（ステップＳ１０２）及び判定処理（ステップＳ１０４）を行ったりしてもよい。これにより、放電灯９０の点灯中における電極状態の変化に対して適時的に対応することが可能になる。
【００８６】
また、制御部４０は、放電灯９０の点灯開始期間において点灯状態変動誘引処理（ステップＳ１０２）及び判定処理（ステップＳ１０４）を行ってもよい。放電灯９０の点灯開始期間は、例えば、放電灯の点灯開始からアーク放電が安定するまでの期間である。通常、照明装置やプロジェクター等に放電灯を使用する際には、安定した点灯状態になるまで１００秒に程度の点灯開始期間がある。この点灯開始期間を利用することにより、ユーザーに目立たない期間に点灯状態変動誘引処理（ステップＳ１０２）及び判定処理（ステップＳ１０４）を行うことができる。
【００８７】
ステップＳ１０８で消灯命令を受け付けたものと判定した場合（ステップＳ１０８でＹＥＳの場合）には、制御部４０は、放電灯９０の点灯を終了（消灯）する（ステップＳ１１０）。
【００８８】
アークジャンプが発生すると、放電灯９０を用いた照明装置やプロジェクター等にちらつき（フリッカー）として現れる。本実施形態に係る放電灯点灯装置１０によれば、点灯状態変動誘引処理を行うことにより、放電灯９０がアークジャンプの発生しやすい状態であるか否かを判定し、判定結果に応じて放電灯９０の駆動条件を変更することができる。したがって、フリッカーの発生を未然に抑制することが可能な放電灯点灯装置を実現できる。
【００８９】
〔変形例１〕
上述の実施形態においては、駆動条件変更処理において、図８（Ａ）に示すような周波数変調駆動から図８（Ｂ）に示すような固定高周波駆動や図８（Ｃ）に示すような三角波駆動へと駆動条件を変更する例について説明したが、駆動条件変更処理において次々と異なる駆動条件に変更してもよい。
【００９０】
例えば、１回目の駆動条件変更処理では周波数変調駆動から固定高周波駆動へと駆動条件を変更し、２回目の駆動条件変更処理では固定高周波駆動から三角波駆動へと駆動条件を変更し、３回目の駆動条件変更処理では三角波駆動から再び周波数変調駆動へと駆動条件を変更するようにしてもよい。
【００９１】
このように、状態検出部（電圧検出部６５）が物理量（駆動電圧Ｖｌａ）の基準値以上の変動を検出する度に駆動条件を変更することで、放電灯９０の電極状態に応じた駆動条件に変更することができる。
【００９２】
〔変形例２〕
図７のフローチャートを用いて説明した制御に加えて、制御部４０は、駆動条件変更処理の後において、再度の点灯状態変動誘引処理及び再度の判定処理を行い、再度の判定処理により、物理量（駆動電圧Ｖｌａ）についての基準値以上の変動を状態検出部（電圧検出部６５）が検出しなかったものと判定した場合に、再度の点灯状態変動誘引処理より後の駆動条件を、最初の点灯状態変動誘引処理より前の駆動条件に変更する駆動条件再変更処理を行ってもよい。
【００９３】
図１１は、本実施形態の変形例２に係る放電灯点灯装置１０における制御例を示すフローチャートである。図１１に示す例では、放電灯９０の点灯開始から点灯終了（消灯）までのフローを示している。なお、図７に示すフローチャートと同一の処理については同一の符号を付し、その詳細な説明を省略する。
【００９４】
ステップＳ１００からステップＳ１０６までは、図７に示すフローチャートでの処理と同一の処理を行う。
【００９５】
ステップＳ１０６で駆動条件が変更された後に、制御部４０は、再度の点灯状態変動誘引処理を行う（ステップＳ２００；再度の点灯状態変動誘引工程）。再度の点灯状態変動誘引処理における処理の内容は、ステップＳ１０２の点灯状態変動誘引処理と同一である。
【００９６】
ステップＳ２００の後に、制御部４０は、再度の点灯状態変動誘引処理により、物理量（駆動電圧Ｖｌａ）についての基準値以上の変動を状態検出部（電圧検出部６５）が検出したか否かを判定する再度の判定処理を行う（ステップＳ２０２；再度の判定工程）。再度の判定処理における処理の内容は、ステップＳ１０４の判定処理と同一である。
【００９７】
物理量（駆動電圧Ｖｌａ）についての基準値以上の変動を状態検出部（電圧検出部６５）が検出しなかったものと判定した場合（ステップＳ２０２でＮＯの場合）には、再度の点灯状態変動誘引処理（ステップＳ２００）より後の駆動条件を、最初の点灯状態変動誘引処理（ステップＳ１０２）より前の駆動条件に変更する駆動条件再変更処理を行う（ステップＳ２０４；駆動条件再変更工程）。
【００９８】
物理量（駆動電圧Ｖｌａ）の基準値以上の変動を電圧検出部６５が検出したものと制御部４０が判定した場合（ステップＳ２０２でＹＥＳの場合）には、制御部４０は、消灯命令を受け付けたか否かを判定する（ステップＳ２０６）。消灯命令を受け付けなかったものと判定した場合（ステップＳ２０６でＮＯの場合）には、ステップＳ２００に処理を戻す。消灯命令を受け付けたものと判定した場合（ステップＳ２０６でＹＥＳの場合）には、放電灯９０の点灯を終了（消灯）する。
【００９９】
なお、制御部４０は、所与の時間条件に基づいて再度の点灯状態変動誘引処理（ステップＳ２００）及び再度の判定処理（ステップＳ２０２）を行ってもよい。例えば、駆動条件変更処理（ステップＳ１０６）の後の周期的なタイミングで再度の点灯状態変動誘引処理（ステップＳ２００）及び判定処理（ステップＳ２０２）を行ってもよい。これにより、放電灯９０の点灯中における電極状態の変化に対して適時的に対応することが可能になる。
【０１００】
ステップＳ２０４の後のステップＳ１０８〜ステップＳ１１０では、図７に示すフローチャートでの処理と同一の処理を行う。
【０１０１】
最初の駆動条件は、放電灯９０を長期間にわたって安定した駆動できる駆動条件としておくのが通常である。放電灯９０の駆動条件を最初の駆動条件から一度変更した後に再度の点灯状態変動誘引処理を行い、物理量（駆動電圧Ｖｌａ）の変動が小さくなった場合には、電極状態がアークジャンプの発生しにくい状態に戻ったものと考えられる。したがって、放電灯９０の駆動条件を最初の駆動条件に戻すことにより、長期間にわたって安定した駆動が期待できる。
【０１０２】
〔変形例３〕
上述の実施形態及び変形例１、２の制御に加えて、制御部４０は、消灯命令を受け付けた後に点灯状態変動誘引処理及び判定処理を行い、記憶部４４に判定処理での判定結果に関連付けた判定情報を書き込み、判定情報に基づいて、放電灯９０の点灯開始後の最初の駆動条件を決定してもよい。
【０１０３】
図１２は、本実施形態の変形例３に係る放電灯点灯装置１０における消灯命令受付から点灯終了（消灯）までの制御例を示すフローチャートである。
【０１０４】
まず、制御部４０は、消灯命令を受け付ける（ステップＳ３００）。ステップＳ３００の処理は、図７及び図１１に示すフローチャートにおけるステップＳ１０８でＹＥＳの場合に相当する。
【０１０５】
ステップＳ３００の後に、制御部４０は、点灯状態誘引処理を行う（ステップＳ３０２）。ステップＳ３０２での処理の内容は、図７及び図１１に示すフローチャートにおけるステップＳ１０２の点灯状態変動誘引処理と同一である。
【０１０６】
ステップＳ３０２の後に、制御部４０は、点灯状態変動誘引処理（ステップＳ３０２）により、物理量（駆動電圧Ｖｌａ）についての基準値以上の変動を状態検出部（電圧検出部６５）が検出したか否かを判定する再度の判定処理を行う（ステップＳ３０４）。判定処理における処理の内容は、図７及び図１１に示すフローチャートにおけるステップＳ１０４の判定処理と同一である。
【０１０７】
物理量（駆動電圧Ｖｌａ）の基準値以上の変動を電圧検出部６５が検出したものと制御部４０が判定した場合（ステップＳ２０２でＹＥＳの場合）には、制御部４０は、物理量（駆動電圧Ｖｌａ）の「変動あり」に対応する判定情報を記憶部４４に書き込む（ステップＳ３０６）。物理量（駆動電圧Ｖｌａ）の基準値以上の変動を電圧検出部６５が検出しなかったものと制御部４０が判定した場合（ステップＳ２０２でＮＯの場合）には、制御部４０は、物理量（駆動電圧Ｖｌａ）の「変動なし」に対応する判定情報を記憶部４４に書き込む（ステップＳ３０８）。
【０１０８】
判定情報は、例えば、物理量（駆動電圧Ｖｌａ）の基準値以上の変動があったか否かの判定結果そのものの情報でもよいし、物理量（駆動電圧Ｖｌａ）の基準値以上の変動があったか否かの判定結果に基づいて決定した放電灯９０の駆動条件に関する情報でもよい。
【０１０９】
ステップＳ３０６又はステップＳ３０８の後に、制御部４０は、放電灯９０の点灯を終了（消灯）する（ステップＳ３１０）。
【０１１０】
図１３は、本実施形態の変形例３に係る放電灯点灯装置１０における点灯命令受付から点灯開始までの制御例を示すフローチャートである。
【０１１１】
まず、制御部４０は、点灯命令を受け付ける（ステップＳ４００）。ステップＳ４００の後に、制御部４０は、記憶部４４に記憶された判定情報を読み込む（ステップＳ４０２）。
【０１１２】
ステップＳ４０２の後に、制御部４０は、読み込んだ判定情報に基づいて、放電灯９０の点灯開始後の最初の駆動条件を決定する（ステップＳ４０４）。例えば、判定情報が物理量（駆動電圧Ｖｌａ）の基準値以上の変動があったか否かの判定結果そのものの情報である場合には、記憶されている判定結果に基づいて駆動条件を決定してもよい。また例えば、判定情報が物理量（駆動電圧Ｖｌａ）の基準値以上の変動があったか否かの判定結果に基づいて決定した放電灯９０の駆動条件に関する情報である場合には、記憶されている駆動条件に関する情報により駆動条件を決定してもよい。
【０１１３】
このように、消灯命令受付後の消灯前に、点灯状態変動誘引処理及び判定処理を行うことにより、放電灯９０の消灯直前期の電極状態に基づいた判定結果を得ることができる。また、次回点灯時にこの判定結果に基づいた駆動条件で放電灯９０を駆動することにより、放電灯９０の電極状態に応じた駆動条件で点灯開始することができる。これにより、アークジャンプの発生をより抑制することができる。
【０１１４】
３．第２実施形態に係る放電灯点灯装置
図１４は、第２実施形態に係る放電灯点灯装置の回路図の一例である。第１実施形態に係る放電灯点灯装置１０では、点灯状態と関連付けた物理量として放電灯９０の駆動電圧Ｖｌａを用いる例について説明したが、第２実施形態に係る放電灯点灯装置１１では、点灯状態と関連付けた物理量として放電灯９０の照度Ｌを用いる例について説明する。
【０１１５】
本実施形態に係る放電灯点灯装置１１は、照度センサー６８を含む。照度センサー６８は、放電灯９０の照度Ｌを検出し、照度情報を制御部４０に出力する。
【０１１６】
照度Ｌは、本発明における放電灯の点灯状態と関連付けた物理量に対応し、照度センサー６８は、本発明における状態検出部に対応する。
【０１１７】
なお、放電灯点灯装置１１のその他の構成は、図３を用いて説明した放電灯点灯装置１０と同一であるので、その詳細な説明を省略する。
【０１１８】
次に、本実施形態に係る放電灯点灯装置１１の制御の具体例について説明する。
【０１１９】
本実施形態に係る放電灯点灯装置１０の制御部４０は、放電灯９０の点灯中において、点灯状態の変動を誘引する駆動条件で放電灯駆動部を所与の期間だけ制御する点灯状態変動誘引処理と、点灯状態変動誘引処理により、放電灯９０の点灯状態と関連付けた物理量（照度Ｌ）についての基準値以上の変動を状態検出部（照度センサー６８）が検出したか否かを判定する判定処理と、判定処理により、放電灯９０の点灯状態と関連付けた物理量（照度Ｌ）についての基準値以上の変動を状態検出部（照度センサー６８）が検出したものと判定した場合に、点灯状態変動誘引処理より後の駆動条件を点灯状態変動誘引処理より前とは異なる駆動条件に変更する駆動条件変更処理とを行う。
【０１２０】
より具体的な制御については、図７〜図９を用いて説明した制御と同様であり、駆動電圧Ｖｌａを照度Ｌに、電圧検出部６５を照度センサー６８にそれぞれ置き換えたものに相当する。
【０１２１】
図１５（Ａ）及び図１５（Ｂ）は、照度Ｌの変動率を示すグラフである。図１５（Ａ）はアークジャンプが発生していない場合、図１５（Ｂ）はアークジャンプが発生している場合の照度Ｌの変動率を示している。アークジャンプが発生している場合には、アークジャンプが発生していない場合に比べて照度Ｌが大きく変動する。
【０１２２】
本実施形態では、図７のステップＳ１０４の判定処理においては、制御部４０は、点灯状態変動誘引処理により、照度Ｌの基準値以上の変動を照度センサーＬが検出したか否かを判定する。基準値は、例えば±１．５％程度としてもよい。また、基準値は、放電灯９０の照度変動が視認できない範囲に設定してもよい。
【０１２３】
アークジャンプが発生すると、放電灯９０を用いた照明装置やプロジェクター等にちらつき（フリッカー）として現れる。本実施形態に係る放電灯点灯装置１１によれば、点灯状態変動誘引処理を行うことにより、放電灯９０がアークジャンプの発生しやすい状態であるか否かを判定し、判定結果に応じて放電灯９０の駆動条件を変更することができる。したがって、フリッカーの発生を未然に抑制することが可能な放電灯点灯装置を実現できる。
【０１２４】
また、照度センサー６８が検出する照度Ｌに基づいて判定することにより、より直接的にフリッカーの発生しやすい状況であるか否かを判定することができる。
【０１２５】
なお、第１実施形態において説明した変形例１〜３に相当する変形も同様に可能であり、駆動電圧Ｖｌａを照度Ｌに、電圧検出部６５を照度センサー６８にそれぞれ置き換えたものに相当する。これらの変形についても、それぞれ第１実施形態の各変形例において説明した効果と同様の効果を奏する。
【０１２６】
５．プロジェクターの回路構成
図１６は、本実施の形態に係るプロジェクターの回路構成の一例を示す図である。プロジェクター５００は、先に説明した光学系の他に、画像信号変換部５１０、直流電源装置５２０、放電灯点灯装置１０、放電灯９０、液晶パネル５６０Ｒ、５６０Ｇ、５６０Ｂ、画像処理装置５７０を含む。
【０１２７】
画像信号変換部５１０は、外部から入力された画像信号５０２（輝度−色差信号やアナログＲＧＢ信号など）を所定のワード長のデジタルＲＧＢ信号に変換して画像信号５１２Ｒ、５１２Ｇ、５１２Ｂを生成し、画像処理装置５７０に供給する。
【０１２８】
画像処理装置５７０は、３つの画像信号５１２Ｒ、５１２Ｇ、５１２Ｂに対してそれぞれ画像処理を行い、液晶パネル５６０Ｒ、５６０Ｇ、５６０Ｂをそれぞれ駆動するための駆動信号５７２Ｒ、５７２Ｇ、５７２Ｂを出力する。
【０１２９】
直流電源装置５２０は、外部の交流電源６００から供給される交流電圧を一定の直流電圧に変換し、トランス（図示しないが、直流電源装置５２０に含まれる）の２次側にある画像信号変換部５１０、画像処理装置５７０及びトランスの１次側にある放電灯点灯装置１０に直流電圧を供給する。
【０１３０】
放電灯点灯装置１０は、起動時に放電灯９０の電極間に高電圧を発生して絶縁破壊させて放電路を形成し、以後放電灯９０が放電を維持するための駆動電流を供給する。
【０１３１】
液晶パネル５６０Ｒ、５６０Ｇ、５６０Ｂは、それぞれ駆動信号５７２Ｒ、５７２Ｇ、５７２Ｂにより、各液晶パネルに入射する色光の輝度を変調する。
【０１３２】
ＣＰＵ（Central Processing Unit）５８０は、プロジェクターの点灯開始から消灯に至るまでの動作を制御する。例えば、点灯命令や消灯命令を、通信信号Ｓを介して放電灯点灯装置１０に出力してもよい。
【０１３３】
このように構成したプロジェクター５００は、放電灯点灯装置１０が点灯状態変動誘引処理を行うことにより、放電灯９０がフリッカーの発生しやすい状態であるか否かを判定し、判定結果に応じて放電灯９０の駆動条件を変更することができる。したがって、フリッカーの発生を未然に抑制することが可能なプロジェクターを実現できる。
【０１３４】
なお、図１６に示す例では、第１実施形態に係る放電灯点灯装置１０を用いたプロジェクター５００の例について説明したが、第２実施形態に係る放電灯点灯装置１１を用いたプロジェクターとすることも可能であり、プロジェクター５００と同様の効果を奏する。
【０１３５】
上記各実施形態においては、３つの液晶パネルを用いたプロジェクターを例示して説明したが、本発明はこれに限定されるものではなく、１つ、２つ又は４つ以上の液晶パネルを用いたプロジェクターにも適用可能である。
【０１３６】
上記各実施形態においては、透過型のプロジェクターを例示して説明したが、本発明はこれに限定されるものではなく、反射型のプロジェクターにも適用することが可能である。ここで、「透過型」とは、透過型の液晶パネル等のように光変調手段としての電気光学変調装置が光を透過するタイプであることを意味しており、「反射型」とは、反射型の液晶パネルやマイクロミラー型光変調装置などのように光変調手段としての電気光学変調装置が光を反射するタイプであることを意味している。マイクロミラー型光変調装置としては、例えば、ＤＭＤ（デジタルマイクロミラーデバイス；Texas Instruments社の商標）を用いることができる。反射型のプロジェクターにこの発明を適用した場合にも、透過型のプロジェクターと同様の効果を得ることができる。
【０１３７】
本発明は、投写画像を観察する側から投写するフロント投写型プロジェクターに適用する場合にも、投写画像を観察する側とは反対の側から投写するリア投写型プロジェクターに適用する場合にも可能である。
【０１３８】
なお、本発明は上述の実施形態に限定されず、本発明の要旨の範囲内で種々の変形実施が可能である。
【０１３９】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１４０】
１０，１１  放電灯点灯装置、２０  電力制御回路、２１  スイッチ素子、２２  ダイオード、２３  コイル、２４  コンデンサー、３０  交流変換回路、３１〜３４  スイッチ素子、４０  制御部、４０−１  電流制御手段、４０−２  交流変換制御手段、４０−３  点灯状態変動誘引処理手段、４０−４  判定処理手段、４０−５  駆動条件変更処理手段、４１  システムコントローラー、４２  電力制御回路コントローラー、４３  交流変換回路コントローラー、４４  記憶部、５０  副反射鏡、６０  動作検出部、６１〜６３  抵抗、６５  電圧検出部、６８  照度センサー、７０  イグナイター回路、８０  直流電源、９０  放電灯、９１  放電空間、９２  第１電極、９３  第２電極、１１２  主反射鏡、１１４  固定部材、２００  光源装置、２１０  光源ユニット、３０５  平行化レンズ、３１０  照明光学系、３２０  色分離光学系、３３０Ｒ，３３０Ｇ，３３０Ｂ  液晶ライトバルブ、３４０  クロスダイクロイックプリズム、３５０  投写光学系、５００  プロジェクター、５０２  画像信号、５１０  画像信号変換部、５１２Ｒ  画像信号（Ｒ）、５１２Ｇ  画像信号（Ｇ）、５１２Ｂ  画像信号（Ｂ）、５２０  直流電源装置、５２２  固定部材、５３４  導電性部材、５３６  第１端子、５４４  導電性部材、５４６  第２端子、５５２ｐ  突起、５６０Ｒ  液晶パネル（Ｒ）、５６０Ｇ  液晶パネル（Ｇ）、５６０Ｂ  液晶パネル（Ｂ）、５６２ｐ，５６２ｐ−１，５６２ｐ−２  突起、５７０  画像処理装置、５７２Ｒ  液晶パネル（Ｒ）駆動信号、５７２Ｇ  液晶パネル（Ｇ）駆動信号、５７２Ｂ  液晶パネル（Ｂ）駆動信号、５８０  ＣＰＵ、６００  交流電源、７００  スクリーン
【図１】
2010225425.tif 000003
【図２】
2010225425.tif 000004
【図３】
2010225425.tif 000005
【図４】
2010225425.tif 000006
【図５】
2010225425.tif 000007
【図６】
2010225425.tif 000008
【図７】
2010225425.tif 000009
【図８】
2010225425.tif 000010
【図９】
2010225425.tif 000011
【図１０】
2010225425.tif 000012
【図１１】
2010225425.tif 000013
【図１２】
2010225425.tif 000014
【図１３】
2010225425.tif 000015
【図１４】
2010225425.tif 000016
【図１５】
2010225425.tif 000017
【図１６】
2010225425.tif 000018